(57)【特許請求の範囲】
【請求項１】
位相差計測のための照明光を容器内に設置された観察対象に照射する照明光学系と、
該照明光学系と前記観察対象との間に設けられ、少なくとも１つの光学素子を有し、前記容器内の液体の液面形状に起因する前記照明光の屈折を調整する調整光学系と、
前記照明光を照射した前記観察対象を撮像する撮像部と、
該撮像部によって撮像された画像の濃度の均一性および濃度コントラストに基づいて、前記調整光学系の光学特性を調整する調整光学系制御部とを備えたことを特徴とする位相差顕微鏡。
【請求項２】
前記調整光学系が、屈折力を有する前記光学素子を備えた請求項１記載の位相差顕微鏡。
【請求項３】
前記光学素子が、前記屈折力を調整可能である請求項２記載の位相差顕微鏡。
【請求項４】
前記光学素子が、前記照明光の入射面および出射面のうちの少なくとも一方に曲率を有する請求項２または３記載の位相差顕微鏡。
【請求項５】
前記光学素子が、前記曲率を調整可能である請求項４記載の位相差顕微鏡。
【請求項６】
前記調整光学系が、前記観察対象の設置面の面内方向および前記設置面に直交する方向のうちの少なくとも１つの方向について移動する前記光学素子を備えた請求項１から５いずれか１項記載の位相差顕微鏡。
【請求項７】
前記調整光学系が、光軸が回転調整される前記光学素子を備えた請求項１から６いずれか１項記載の位相差顕微鏡。
【請求項８】
前記調整光学系が、複数の前記光学素子を備えた請求項１から７いずれか１項記載の位相差顕微鏡。
【請求項９】
前記調整光学系制御部が、前記複数の光学素子の組み合わせを変更することによって前記調整光学系の光学特性を調整する請求項８記載の位相差顕微鏡。
【請求項１０】
前記調整光学系制御部が、前記複数の光学素子を切り替えることによって前記調整光学系の光学特性を調整する請求項８または９記載の位相差顕微鏡。
【請求項１１】
前記調整光学系制御部が、前記調整光学系の調整条件を取得し、該調整条件に基づいて前記調整光学系の光学特性の調整を行う請求項１から１０いずれか１項記載の位相差顕微鏡。
【請求項１２】
前記調整条件が、前記観察対象の画像を結像する結像光学系の光学倍率、前記容器の種類、前記観察対象の種類、前記観察対象の数、前記液体の種類、前記液体の量、環境温度、環境湿度、前記容器内の撮像位置および前記観察対象の画像の撮像視野の大きさの少なくとも１つに基づいて決定される請求項１１記載の位相差顕微鏡。
【請求項１３】
前記液体の液面形状を計測する液面形状計測部を備え、
前記調整光学系制御部が、前記液面形状計測部によって計測された前記液体の液面形状の情報に基づいて、前記調整光学系の調整条件を取得し、該調整条件に基づいて前記調整光学系の光学特性を調整する請求項１から１０いずれか１項記載の位相差顕微鏡。
【請求項１４】
前記液面形状計測部が、前記容器の種類、前記観察対象の種類、前記観察対象の数、前記液体の種類、前記液体の量、環境温度および環境湿度の少なくとも１つに基づいて、前記液面形状の計測条件を取得し、該取得した計測条件に基づいて、前記液面形状の計測を行う請求項１３記載の位相差顕微鏡。
【請求項１５】
前記液体の量の重量を計測する重量計測部を備え、
前記調整光学系制御部が、前記重量計測部によって計測された前記液体の重量の情報に基づいて、前記調整光学系の調整条件を取得し、該調整条件に基づいて前記調整光学系の光学特性を調整する請求項１から１０いずれか１項記載の位相差顕微鏡。
【請求項１６】
前記照明光学系が、光源および該光源から出射された光を通過させるスリットが設けられたスリット板を有し、該スリット板を通過した光を前記照明光として前記観察対象に照射する請求項１から１５いずれか１項記載の位相差顕微鏡。
【発明の詳細な説明】
【技術分野】
【０００１】
本発明は、液体中の観察対象を位相差計測する位相差顕微鏡に関するものである。
【背景技術】
【０００２】
近年、幹細胞などの培養された透明な細胞を非染色に観察する方法として位相差計測が広く使われ始めている。そして、このような位相差計測を行うものとして位相差顕微鏡が使用されている。
【０００３】
一般的な位相差顕微鏡においては、リング状の照明光が観察対象に照射され、観察対象を通過した直接光と回折光が位相板に入射される。そして、直接光は位相板のリング部分によって減光され、回折光は位相板の透明な部分を通過し、この直接光と回折光とが結像されることによって明暗のコントラストのついた像を撮像することができる。
【０００４】
ここで、たとえば位相差顕微鏡によって培養液中の細胞などを観察する場合、培養液の表面張力の影響によって培養液の液面にメニスカスが形成される。そして、このメニスカスのレンズ作用によってリング状の照明光の光軸がシフトし、位相板に入射される直接光と回折光とに影響を及ぼして明瞭な位相差像が得られない問題がある。
【０００５】
図１０は、従来の位相差顕微鏡を用いて培養液中の細胞を撮像した画像の一例を示すものである。図１０Ｉは全体像であり、図１０ＩＩは、図１０Ｉに示す全体像の一部を拡大した像である。図１０に示すように、メニスカスの影響によって画像の中央にアーチファクトを生じ、細胞像のコントラストも低いことが分かる。
【０００６】
一方、図１１は、従来の位相差顕微鏡を用いて培養液がない状態で細胞を撮像した画像の一例を示すものである。図１１Ｉは全体像であり、図１１ＩＩは、図１１Ｉに示す全体像の一部を拡大した像である。図１１に示すように、培養液が存在しない場合、高コントラストな細胞像を得ることができるが、培養液がない状態では細胞の培養を継続することができない。
【０００７】
上述したような培養液のメニスカスの影響を抑制するため、種々の方法が提案されている。たとえば、特許文献１においては、対物レンズの瞳位置のリング状の位相膜の形状と、光学素子によって形成されるリング状の照明光の形状とを瞳像検出器によって検出し、その検出された座標データに基づいて、光学素子のリング状開口の形状を制御することが提案されている。
【０００８】
また、特許文献２においては、メニスカスによる照明光の屈折を補正する屈折力が可変な補正レンズと、リング状の開口を有し、位相板を通過して上記開口を通過した光の強度を検出する光量検出センサとを設け、光量検出センサによって検出された光の強度に基づいて、補正レンズの屈折力を制御することが提案されている。また、特許文献３にも、特許文献２と同様に、補正レンズを設け、たとえば複数の補正レンズを切り替えて使用することによって屈折力を制御することが提案されている。
【先行技術文献】
【特許文献】
【０００９】
【特許文献１】特開２０１０−２７１５３７号公報
【特許文献２】特開２００６−９１５０６号公報
【特許文献３】特開平８−５９２９号公報
【発明の概要】
【発明が解決しようとする課題】
【００１０】
しかしながら、特許文献１に記載の方法では、瞳像検出器を新たに設ける必要があり、コストアップになり、装置も大きくなってしまう。
【００１１】
また、特許文献２に記載の方法でも、光量検出センサを新たに設ける必要があり、さらに光量検出センサによって検出された光の強度のみによって補正レンズの屈折力を制御した場合、高精度な調整を行うことができない。
【００１２】
また、特許文献３には、上述したように複数の補正レンズを切り替えて使用することによって屈折力を制御することが提案されているが、複数の補正レンズを自動的に切り替える方法については何も提案されていない。
【００１３】
本発明は、上記の問題に鑑み、コストアップや装置の大型化を招くことなく、メニスカスに起因する照明光の屈折を高精度に自動調整することができる位相差顕微鏡を提供することを目的とする。
【課題を解決するための手段】
【００１４】
本発明の位相差顕微鏡は、位相差計測のための照明光を容器内に設置された観察対象に照射する照明光学系と、照明光学系と観察対象との間に設けられ、少なくとも１つの光学素子を有し、容器内の液体の液面形状に起因する照明光の屈折を調整する調整光学系と、照明光を照射した観察対象を撮像する撮像部と、撮像部によって撮像された画像の濃度の均一性および濃度コントラストに基づいて、調整光学系の光学特性を調整する調整光学系制御部とを備えたことを特徴とする。
【００１５】
また、上記本発明の位相差顕微鏡において、調整光学系は、屈折力を有する光学素子を備えることができる。
【００１６】
また、光学素子は、屈折力を調整可能であることが好ましい。
【００１７】
また、光学素子は、照明光の入射面および出射面のうちの少なくとも一方に曲率を有することが好ましい。
【００１８】
また、光学素子は、上記曲率を調整可能であることが好ましい。
【００１９】
また、調整光学系は、観察対象の設置面の面内方向および設置面に直交する方向のうちの少なくとも１つの方向について移動する光学素子を備えることができる。
【００２０】
また、調整光学系は、光軸が回転調整される光学素子を備えることができる。
【００２１】
また、調整光学系は、複数の光学素子を備えることができる。
【００２２】
また、調整光学系制御部は、複数の光学素子の組み合わせを変更することによって調整光学系の光学特性を調整することができる。
【００２３】
また、調整光学系制御部は、複数の光学素子を切り替えることによって調整光学系の光学特性を調整することができる。
【００２４】
また、調整光学系制御部は、調整光学系の調整条件を取得し、その調整条件に基づいて調整光学系の光学特性の調整を行うことができる。
【００２５】
また、調整条件は、観察対象の画像を結像する結像光学系の光学倍率、容器の種類、観察対象の種類、観察対象の数、液体の種類、液体の量、環境温度、環境湿度、容器内の撮像位置および観察対象の画像の撮像視野の大きさの少なくとも１つに基づいて決定されることが好ましい。
【００２６】
また、液体の液面形状を計測する液面形状計測部を備え、液面形状計測部によって計測された液体の液面形状の情報に基づいて、調整光学系の調整条件を取得し、その調整条件に基づいて調整光学系の光学特性の調整を行うことができる。
【００２７】
また、液面形状計測部は、容器の種類、観察対象の種類、観察対象の数、液体の種類、液体の量、環境温度および環境湿度の少なくとも１つに基づいて、液面形状の計測条件を取得し、その取得した計測条件に基づいて、液面形状の計測を行うことができる。
【００２８】
また、液体の量の重量を計測する重量計測部を備え、重量計測部によって計測された液体の重量の情報に基づいて、調整光学系の調整条件を取得し、その調整条件に基づいて調整光学系の光学特性を調整することができる。
【００２９】
また、照明光学系は、光源およびその光源から出射された光を通過させるスリットが設けられたスリット板を有し、そのスリット板を通過した光を照明光として観察対象に照射することができる。
【発明の効果】
【００３０】
本発明の位相差顕微鏡によれば、照明光学系と観察対象との間に、容器内の液体の液面形状に起因する照明光の屈折を調整する調整光学系を設け、撮像部によって撮像された画像の濃度の均一性および濃度コントラストに基づいて、調整光学系の光学特性を調整するようにしたので、コストアップや装置の大型化を招くことなく、液面形状に起因する照明光の屈折を高精度に自動調整することができる。
【図面の簡単な説明】
【００３１】
【図１】本発明の位相差顕微鏡の一実施形態を用いた顕微鏡システムの概略構成を示す図
【図２】スリット板の構成の一例を示す図
【図３】光学素子の位置、光軸の回転および屈折力の調整を模式的に示す図である。
【図４】位相板の構成の一例を示す図
【図５】本発明の位相差顕微鏡の一実施形態を用いた顕微鏡システムの作用を説明するためのフローチャート
【図６】撮像位置が培養容器の中央位置からずれた場合の光学素子の調整を説明するための図
【図７】調整光学系を複数のレンズから構成する場合の各レンズの模式図
【図８】液面形状計測部によって計測された液面形状に基づいて、光学素子の調整条件を取得する実施形態の概略構成を示す図
【図９】重量計測部によって計測された培養液の重量に基づいて、光学素子の調整条件を取得する実施形態の概略構成を示す図
【図１０】培養液中の細胞を従来の位相差顕微鏡で撮像した画像の一例を示す図
【図１１】培養液がない状態で細胞を従来の位相差顕微鏡で撮像した画像の一例を示す図
【発明を実施するための形態】
【００３２】
以下、本発明の位相差顕微鏡の一実施形態を用いた顕微鏡システムについて、図面を参照しながら詳細に説明する。図１は、本実施形態の顕微鏡システムの概略構成を示す図である。
【００３３】
本実施形態の顕微鏡システムは、図１に示すように、照明光学系１０と、調整光学系２０と、結像光学系３０と、撮像部４０と、顕微鏡制御装置５０と、入力装置５４と、表示装置５５とを備えている。調整光学系２０と結像光学系３０との間には、ステージ６１が設けられており、このステージ６１上に観察対象Ｓが収容された培養容器６０が設置される。そして、本実施形態の顕微鏡システムは、互いに直交するＸ方向およびＹ方向にステージ６１を移動させるステージ駆動部６２を備えている。Ｘ方向およびＹ方向は、観察対象設置面Ｐに並行な面上において互いに直交する方向である。
【００３４】
本実施形態の顕微鏡システムにおいては、上述した照明光学系１０、調整光学系２０、結像光学系３０、撮像部４０、ステージ６１およびステージ駆動部６２から位相差顕微鏡本体が構成され、顕微鏡制御装置５０は、この位相差顕微鏡本体を制御するものである。以下、位相差顕微鏡本体の具体的な構成を説明する。
【００３５】
照明光学系１０は、培養容器６０内に収容された観察対象Ｓに対して、いわゆる位相差計測のための照明光を照射するものであり、本実施形態では、その位相差計測用照明光としてリング状照明光を照射する。具体的には、本実施形態の照明光学系１０は、白色光を出射する白色光源１１（本発明の光源に相当する）と、リング形状のスリットを有し、白色光源１１から出射された白色光が入射されてリング状照明光を出射するスリット板１２と、スリット板１２から射出されたリング状照明光が入射され、その入射されたリング状照明光を観察対象に対して照射する第１の対物レンズ１３とを備えている。
【００３６】
図２は、スリット板１２の具体的な構成を示す図である。図２に示すように、スリット板１２は、白色光源１１から出射された白色光を遮光する遮光板１２ｂに対して白色光を透過するリング形状のスリット１２ａが設けられたものであり、白色光がスリット１２ａを通過することによってリング状照明光が形成される。
【００３７】
なお、本実施形態においては、上述したようにスリット板１２を用いてリング状照明光を形成するようにしたが、リング状照明光を形成する方法としては、これに限らず、たとえば空間光変調素子などを用いてリング状照明光を形成するようにしてもよい。
【００３８】
また、本実施形態においては、位相差計測用照明光としてリング状照明光を用いるようにしたが、リング状以外の構造を有する照明光でもよく、後述する位相板と共役な形状となっていれば三角形状や四角形状などその他の形状でもよい。
【００３９】
ステージ６１上に設置された培養容器６０は、その底面が観察対象設置面Ｐであり、観察対象設置面Ｐには観察対象Ｓとして細胞群などが配置される。そして、培養容器６０内には液体の培養液Ｃが満たされており、この培養液Ｃの液面には、上述したように凹形状にメニスカスが形成される。培養容器６０としては、シャーレおよび複数のウェルが配列されたウェルプレートなどがある。ウェルプレートの場合、各ウェルに観察対象Ｓおよび培養液Ｃが収容され、ウェル毎にメニスカスが形成される。
【００４０】
また、本実施形態においては、培養液Ｃおよび培養中の観察対象Ｓを培養容器６０内に収容したものを観察対象としたが、観察対象としてはこのような培養中のものに限らず、水またはホルマリンと固定した細胞を容器内に収容したものを観察対象としてもよい。この場合も、容器内の水やホルマリンの液面にメニスカスが形成される。
【００４１】
調整光学系２０は、照明光学系１０と観察対象Ｓとの間に設けられたものである。調整光学系２０は、上述したメニスカスの液面形状に起因する照明光の屈折を調整するものである。本実施形態の調整光学系２０は、光学素子２１と、調整光学系駆動部２２とを備えている。
【００４２】
光学素子２１は、屈折力を有するものであり、具体的には、電圧印加によって屈折力が変化する液晶レンズ、レンズの曲率半径を変更可能な液体レンズ、および焦点距離を変更可能な空間光変調器などを用いることができる。光学素子２１として、レンズを用いる場合には、入射面または出射面に曲率を有する平凸面レンズを用いてもよいし、入射面および出射面の両方に曲率を有する両凸面レンズを用いるようにしてもよい。
【００４３】
調整光学系駆動部２２は、光学素子２１の屈折力を変更して焦点距離を調整するものである。具体的には、光学素子２１として液晶レンズまたは空間光変調器を用いる場合には、液晶レンズまたは空間光変調器に対して所望の焦点距離に応じた電圧を印加するものである。また、光学素子２１として液体レンズを用いる場合には、所望の焦点距離に応じて液体レンズ内の液体の量を調整し、これにより液体レンズの曲率半径を調整するものである。
【００４４】
また、調整光学系駆動部２２は、光学素子２１の位置および光学素子２１の光軸方向を変更する機構を備えたものである。具体的には、調整光学系駆動部２２は、Ｘ方向およびＹ方向と、Ｘ方向およびＹ方向に直交するＺ方向とに光学素子２１の位置を変更可能な機構を備えている。また、調整光学系駆動部２２は、光学素子２１の光軸を回転させる機構を備えたものである。図３Ｉは、Ｘ方向、Ｙ方向およびＺ方向への光学素子２１の位置の変更を模式的に示す図である。また、図３ＩＩは、光学素子２１の光軸のＸ軸回り（θ）の回転調整、Ｙ軸回り（φ）の回転調整およびＺ軸回り（ρ）の回転調整を模式的に示す図である。また、図３ＩＩＩは、光学素子２１の屈折力の調整を模式的に示すものである。なお、図３ＩＩＩでは、光学素子２１の曲率半径を調整することによって屈折力を調整する例を示しているが、屈折力を調整する方法としては、これに限らず、たとえば、光学素子２１として液晶レンズや空間光変調器を用いる場合には、印加電圧を調整することによって、屈折力を調整するようにすればよい。
【００４５】
また、本実施形態においては、光学素子２１をＸ方向、Ｙ方向およびＺ方向に移動させるようにしたが、この光学素子２１の移動による光学的な作用と同等の作用を得られるのであれば、必ずしも光学素子２１を移動させなくてもよい。たとえば、光学素子２１として液晶レンズや空間光変調器を用いる場合には、印加電圧を調整することによって、光学素子２１の移動よる光軸のシフトと同様の作用効果を得るようにしてもよい。また、光学素子２１の光軸方向についても同様に、必ずしも光学素子２１自体を回転させる必要はなく、印加電圧を調整することによって、光学素子２１自体の回転による光軸の回転と同様の作用効果を得るようにしてもよい。
【００４６】
また、本実施形態においては、光学素子２１をＸ方向およびＹ方向に移動するようにしたが、これに限らず、ステージ６１をＸ方向およびＹ方向に移動させることによって、光学素子２１と培養容器６０内に形成されたメニスカスとのＸ方向およびＹ方向についての相対的な位置関係を変更するようにしてもよい。
【００４７】
結像光学系３０は、第２の対物レンズ３１と、位相板３２と、結像レンズ３３と、結像光学系駆動部３４とを備えたものである。図４は、位相板３２の具体的な構成を示す平面図である。図４に示すように、位相板３２は、リング状照明光の波長に対して透明な透明板３２ｂに対して位相リング３２ａを形成したものである。なお、上述したスリット１２ａの大きさは、この位相リング３２ａと共役な関係にある。
【００４８】
位相リング３２ａは、入射された光の位相を１／４波長ずらす位相膜と、入射された光を減光する減光フィルタとがリング状に形成されたものである。位相板３２に入射された直接光は位相リング３２ａを通過することによって位相が１／４波長ずれるとともに、その明るさが弱められる。一方、観察対象Ｓによって回折された回折光は大部分が位相板３２の透明板３２ｂを通過し、その位相および明るさは変化しない。
【００４９】
第２の対物レンズ３１は、結像光学系駆動部３４によってＺ方向に移動するものである。この第２の対物レンズ３１のＺ方向への移動によってオートフォーカス制御が行われ、撮像部４０によって撮像される画像のコントラストが調整される。
【００５０】
結像レンズ３３は、位相板３２を通過した直接光および回折光が入射され、これらの光を撮像部４０に結像するものである。
【００５１】
結像光学系駆動部３４は、上述したように第２の対物レンズ３１をＺ方向に移動させる機構を備えたものである。
【００５２】
撮像部４０は、結像レンズ３３によって結像された位相差像を撮像する撮像素子を備えたものである。撮像素子としては、ＣＣＤ（charge-coupled device）イメージセンサやＣＭＯＳ（Complementary Metal-Oxide Semiconductor）イメージセンサなどが用いられる。
【００５３】
顕微鏡制御装置５０は、ＣＰＵ（Central Processing Unit）やストレージデバイスを備えたコンピュータから構成されるものである。顕微鏡制御装置５０は、上述したように位相差顕微鏡本体を制御するものであり、具体的には、上述した調整光学系駆動部２２、ステージ駆動部６２および結像光学系駆動部３４の動作を制御するものである。
【００５４】
また、顕微鏡制御装置５０は、撮像部４０の撮像素子を駆動制御し、撮像素子から出力された画像信号を取得するものである。また、顕微鏡制御装置５０は、位相差顕微鏡本体の光学倍率を自動的に変更可能な構成とした場合には、その光学倍率を制御するものである。なお、光学倍率を自動的に変更する方法としては、たとえば互いに異なる倍率を有する複数の対物レンズを結像光学系３０に設け、この複数の対物レンズを自動的に切り替えるようにすればよい。この際、位相板３２も対物レンズの変更に応じて変更される。位相差顕微鏡本体の光学倍率については、ユーザが結像光学系３０における対物レンズを手動で交換することによって変更するようにしてもよい。
【００５５】
顕微鏡制御装置５０は、具体的には、図１に示すように、調整光学系駆動部２２を制御する調整光学系制御部５１と、結像光学系駆動部３４を制御する結像光学系制御部５２と、ステージ駆動部６２を制御するステージ制御部５３とを備えている。
【００５６】
調整光学系制御部５１および結像光学系制御部５２は、撮像部４０によって撮像された画像信号に基づいて調整光学系２０および結像光学系３０を制御するものである。その制御方法については、後で詳述する。
【００５７】
顕微鏡制御装置５０には、入力装置５４と表示装置５５とが接続されている。入力装置５４は、キーボードやマウスなどの入力デバイスを備えたものであり、ユーザによる設定入力を受け付けるものである。特に、本実施形態における入力装置５４は、調整光学系２０の光学特性を調整する際に用いられる調整条件を決定するための条件の設定入力を受け付けるものである。具体的には、結像光学系３０の光学倍率、培養容器６０の種類、観察対象Ｓの種類、観察対象Ｓの数、培養液Ｃの種類、培養液Ｃの量、培養容器６０内の撮像位置および観察対象の画像の撮像視野の大きさなどの設定入力を受け付けるものである。なお、調整条件については、後で詳述する。
【００５８】
表示装置５５は、液晶ディスプレイなどの表示デバイスから構成されるものであり、撮像部４０において撮像された画像などを表示するものである。なお、表示装置５５をタッチパネルで構成し、その画面を押圧することにより設定入力可能とすることによって、表示装置５５が入力装置を兼ねてもよい。
【００５９】
次に、本実施形態の顕微鏡システムの作用について、図５に示すフローチャートを参照しながら説明する。
【００６０】
まず、観察対象Ｓおよび培養液Ｃが収容された培養容器６０がステージ６１上に設置される。そして、調整光学系２０の調整条件を決定するための条件が、調整光学系制御部５１によって取得される（Ｓ１０）。
【００６１】
ここで、調整条件とは、後述する調整光学系２０の光学特性の調整の際に用いられる条件であり、具体的には、調整光学系２０の初期設定値、変更調整量および変更上限回数などである。
【００６２】
そして、この調整条件を決定するための条件としては、結像光学系３０の光学倍率、培養容器６０の種類、観察対象Ｓの種類、観察対象Ｓの数、培養液Ｃの種類、培養液Ｃの量、環境温度、環境湿度、培養容器６０内の撮像位置および観察対象Ｓの画像の撮像視野の大きさなどがあり、これらの少なくとも１つの条件が調整光学系制御部５１によって取得される。
【００６３】
上述した条件は、培養液Ｃの液面に形成されるメニスカスの形状やそのメニスカスに起因して屈折した光の焦点距離に影響を及ぼす条件である。たとえば、培養容器６０の種類については、培養容器６０の径の大きさや深さなどによってメニスカスの形状が異なり、また、培養液Ｃの種類によってもその粘度などによってメニスカスの形状が異なる。また、培養液Ｃの量によってもメニスカスの形状が異なる。また、環境温度や環境湿度によっても培養液Ｃの粘度などが変化し、メニスカスの形状が異なる。また、観察対象Ｓである細胞の種類（大きさ）や数によっても培養液Ｃの液面の状態が変化し、メニスカスの形状が異なる。
【００６４】
また、培養容器６０内の撮像位置が、図１に示すように培養容器６０の中央位置の場合と、図６に示すように中央位置からずれた位置である場合とでは、その撮像位置におけるメニスカスの形状が異なる。また、結像光学系３０の光学倍率や撮像視野の大きさによって、メニスカスに起因して屈折した光の焦点距離が異なる。
【００６５】
したがって、まず、調整光学系制御部５１によって上述したような条件が取得され、調整光学系制御部５１は、取得した条件に基づいて、調整光学系２０の調整条件（初期設定値、変更調整量および変更上限回数）を取得する（Ｓ１２）。
【００６６】
具体的には、調整光学系制御部５１は、調整光学系２０の初期設定値として、光学素子２１のＸ方向、Ｙ方向およびＺ方向の位置を調整する際の初期設定値、光学素子２１の光軸の回転角度（θ，φ，ρ）を調整する際の初期設定値と、光学素子２１の屈折力を調整する際の初期設定値とを取得する。光学素子２１の屈折力を調整する際の初期設定値としては、液晶レンズや空間光変調器に印加する電圧の初期設定値や、液体レンズ内に注入される液体の量の初期設定値などがある。
【００６７】
また、調整光学系制御部５１は、光学素子２１のＸ方向、Ｙ方向およびＺ方向の位置を調整する際における１回当たりの変更調整量および変更上限回数と、光学素子２１の光軸の回転角度（θ，φ，ρ）を調整する際における１回当たりの変更調整量および変更上限回数と、光学素子２１の屈折力を調整する際における１回当たりの変更調整量および変更上限回数とを取得する。
【００６８】
上述したような調整光学系２０の調整条件は、調整条件を決定するための条件と調整条件とを対応づけたテーブルを調整光学系制御部５１に予め記憶しておき、このテーブルを参照することによって取得するようにすればよい。
【００６９】
このように各条件に応じた調整条件を取得し、調整光学系２０の光学特性を調整する際の調整稼働範囲を限定することによって、後述する調整光学系２０の光学特性の調整時間を短縮することができ、また調整稼働範囲を狭くすることができるので、小型化を図ることができる。
【００７０】
次に、結像光学系制御部５２から結像光学系駆動部３４に制御信号が出力され、結像光学系駆動部３４は、入力された制御信号に基づいて、結像光学系３０の第２の対物レンズ３１をＺ方向に移動させる。そして、その第２の対物レンズ３１のＺ方向の移動に伴って撮像部４０によって順次撮像された画像信号が結像光学系制御部５２に順次入力され、結像光学系制御部５２は、その入力された画像信号に基づいてオートフォーカス制御を行う（Ｓ１４）。具体的には、結像光学系制御部５２は、入力された画像信号のコントラストが最大となる第２の対物レンズ３１の位置を特定し、第２の対物レンズ３１の位置をその特定した位置に設定する。
【００７１】
そして、結像光学系制御部５２によってオートフォーカス制御が行われた後、撮像部４０によって、調整光学系２０の光学特性を調整するための調整用画像が撮像される（Ｓ１６）。撮像部４０によって撮像された調整用画像は、調整光学系制御部５１に入力される。
【００７２】
調整光学系制御部５１は、入力された調整用画像の濃度の均一性を表す特徴量を取得する（Ｓ１８）。そして、調整光学系制御部５１は、調整用画像の濃度の均一性が適切な状態でない場合には、調整光学系駆動部２２に制御信号を出力する。
【００７３】
ここで、調整用画像の濃度の均一性が適切な状態とは、たとえば調整用画像内に現れるリング状の像がほぼ回転対称な形状となった状態である。なお、この際、必ずしもリング状の像が回転対称な形状にならなくてもよく、回転対称な形状に最も近づけるように調整するようにすればよい。
【００７４】
また、この際に取得される調整用画像の特徴量としては、たとえば調整用画像の背景情報があり、具体的には、調整用画像に対してローパスフィルタ処理を施すことによって低周波成分の画像が取得される。そして、この低周波成分の画像からリング状の画像を抽出し、たとえばパターンマッチングなどを行うことによって回転対称からのずれ量を算出し、そのずれ量が所定の閾値よりも大きい場合に、調整光学系駆動部２２に制御信号が出力される。
【００７５】
そして、調整光学系駆動部２２は、入力された制御信号に基づいて、光学素子２１のＸ方向およびＹ方向の位置と、光学素子２１の光軸の回転を、上述した変更調整量だけ調整する（Ｓ２０）。
【００７６】
そして、再び、撮像部４０によって調整用画像が取得され、調整光学系制御部５１に入力される。調整光学系制御部５１は、入力された調整用画像の濃度の均一性を表す特徴量を再び取得し、調整用画像の濃度の均一性が適切な状態でない場合には、調整光学系駆動部２２に再び制御信号を出力する。調整光学系駆動部２２は、入力された制御信号に基づいて、再び光学素子２１のＸ方向およびＹ方向の位置と、光学素子２１の光軸の回転を、上述した変更調整量だけ調整する。
【００７７】
このように調整用画像の撮像と、その調整用画像の濃度の均一性を表す特徴量に基づく光学素子２１のＸ−Ｙ方向の位置および光軸の回転の調整とが、上述した変更上限回数を上限として繰り返して行われ、調整用画像の濃度の均一性が適切な状態となるように光学素子２１のＸ−Ｙ方向の位置および光軸の回転が調整される。
【００７８】
そして、上記のようにして光学素子２１のＸ−Ｙ方向の位置および光軸の回転の調整が終了した後、次に、調整光学系制御部５１は、調整用画像のコントラストを表す特徴量を取得する（Ｓ２２）。そして、調整光学系制御部５１は、調整用画像のコントラストが適切な状態でない場合には、調整光学系駆動部２２に制御信号を出力し、調整光学系駆動部２２は、入力された制御信号に基づいて、光学素子２１のＺ方向の位置および光学素子２１の屈折力を、上述した変更調整量だけ調整する。
【００７９】
調整用画像のコントラストを表す特徴量としては、たとえば調整用画像に対してハイパスフィルタ処理を施すことによって高周波成分の画像が取得される。そして、この高周波成分の画像からコントラストを算出し、そのコントラストが所定の閾値以下である場合に、調整光学系駆動部２２に制御信号が出力される。
【００８０】
そして、再び、撮像部４０によって調整用画像が取得され、調整光学系制御部５１に入力される。調整光学系制御部５１は、入力された調整用画像のコントラストを表す特徴量を再び取得し、調整用画像のコントラストが適切な状態でない場合には、調整光学系駆動部２２に再び制御信号を出力する。調整光学系駆動部２２は、入力された制御信号に基づいて、再び光学素子２１のＺ方向の位置および光学素子２１の屈折力を、上述した変更調整量だけ調整する。
【００８１】
このように調整用画像の撮像と、その調整用画像のコントラストを表す特徴量に基づく光学素子２１のＺ方向の位置および屈折力の調整とが、上述した変更上限回数を上限として繰り返して行われ、調整用画像のコントラストが最大となるように光学素子２１のＺ方向の位置および屈折力が調整される（Ｓ２４）。
【００８２】
そして、光学素子２１のＺ方向の位置および屈折力の調整が行われた後、撮像部４０によって観察用画像が撮像される（Ｓ２６）。
【００８３】
撮像部４０によって撮像された観察用画像は顕微鏡制御装置５０に入力され、顕微鏡制御装置５０は、入力された観察用画像を表示装置５５に表示させる（Ｓ２８）。
【００８４】
上記実施形態の顕微鏡システムによれば、照明光学系１０と観察対象Ｓとの間に、培養容器６０内の培養液Ｃのメニスカスに起因する照明光の屈折を調整する調整光学系２０を設け、撮像部４０によって撮像された画像の濃度の均一性および濃度コントラストに基づいて、調整光学系２０の光学特性を制御するようにしたので、コストアップや装置の大型化を招くことなく、メニスカスに起因する照明光の屈折を高精度に自動調整することができる。
【００８５】
なお、上記実施形態の顕微鏡システムにおいては、光学素子２１への印加電圧や注入する液量を調整することによって光学素子２１の屈折力を調整するようにしたが、これに限らず、たとえば調整光学系２０として、図７Ｉ〜ＩＩＩに示すような互いに曲率半径の異なる複数のレンズを設け、これらのレンズを自動的に切り替えることによって屈折力を調整するようにしてもよい。また、光学素子２１の光軸を回転させる方法としては、たとえば図７ＩＶ〜図７Ｖに示すような、光の出射角度が互いに異なる複数のレンズを設け、これらのレンズを自動的に切り替えることによって光学素子２１の光軸方向を調整するようにしてもよい。また、図７Ｉ〜Ｖに示すような複数種類のレンズを組み合わせて使用することによって、光学素子２１の屈折力および光軸の回転を調整するようにしてもよい。
【００８６】
また、上記実施形態の顕微鏡システムにおいては、調整光学系２０の屈折力を調整するようにしたが、屈折力の調整は行わずに、光学素子２１のＸ方向、Ｙ方向およびＺ方向の位置調整および光学素子２１の光軸の回転調整だけを行うようにしてもよい。
【００８７】
また、上記実施形態の顕微鏡システムにおいては、ユーザによって入力された光学倍率や培養容器６０の種類などの条件に基づいて、調整光学系２０の調整条件を取得するようにしたが、これに限らず、培養液Ｃの液面に形成されるメニスカスの形状（液面の形状）を計測し、その計測結果に基づいて、調整条件を取得するようにしてもよい。
【００８８】
具体的には、たとえば図８に示すように、培養液Ｃの液面の形状を計測する液面形状計測部７０を設け、調整光学系制御部５１が、液面形状計測部７０による計測情報に基づいて、液面の曲率、高さおよび角度などを算出し、これらを用いて調整条件を取得するようにしてもよい。なお、上記液面の曲率、高さおよび角度としては、調整用画像の撮像領域内の液面の平均曲率、平均高さおよび平均角度を算出することができる。また、液面形状計測部７０としては、たとえば、レーザ変位計を用いることができ、連続的に液面の表面を計測することによって、表面形状を計測することができる。また、調整条件を取得する方法としては、たとえば液面の曲率、高さおよび角度と調整条件とを対応付けたテーブルを予め記憶しておくようにしてもよいし、液面の曲率、高さおよび角度を入力として調整条件を出力する関数などを予め設定しておくようにしてもよい。
【００８９】
また、液面形状計測部７０によって液面の形状を計測する際、培養容器６０のＺ方向の全幅について液面を探索して計測するようにしたのでは、非効率であり、また、液面形状計測部７０も大型化してしまう。
【００９０】
そこで、たとえば、液面形状計測部７０が、培養容器６０の種類、観察対象Ｓの種類、観察対象Ｓの数、培養液Ｃの種類、培養液Ｃの量、環境温度および環境湿度の少なくとも１つに基づいて、培養液Ｃの液面形状の計測条件を取得し、その取得した計測条件に基づいて、液面形状の計測を行うようにしてもよい。上述した培養容器６０の種類などの情報は、培養液Ｃの液面の形状に影響を及ぼす情報であり、これらの情報は、ユーザによって入力装置５４を用いて設定入力される。
【００９１】
計測条件としては、計測範囲、計測中心値および計測ステップ数などがあり、上述し培養容器６０の種類などの情報と計測条件とを対応づけたテーブルが予め記憶されているものとする。たとえば培養容器６０のウェルが小さい場合やメニスカスが起きやすい液体を使用する場合には、液面の曲率半径が小さくなることが想定されるため、計測範囲を小さくし、計測ステップ数を増やすことによって高分解能に計測する。一方、培養容器６０のウェルが大きい場合やメニスカスが起きにくい液体を使用する場合には、液面の曲率半径が大きくなることが想定されるため、計測範囲を大きくし、計測ステップ数を減らすことによって低分解能に計測する。
【００９２】
また、たとえばステージ６１をＸ−Ｙ方向に移動させながら、観察対象Ｓを２次元的に走査して複数の観察画像を撮像する場合には、Ｘ−Ｙ方向の各位置で液面の形状が計測され、その計測情報に基づいて調整条件が取得される。そして、このようにＸ−Ｙ方向の各位置で液面の形状を計測する場合には、最初の位置で液面の形状を計測する場合についてのみ、上述した培養容器６０の種類などの情報に基づいて計測条件を取得し、それ以外の位置における２回目以降の計測については、前回計測した計測結果（液面の曲率、高さおよび角度）に基づいて、計測条件を取得するようにすればよい。
【００９３】
また、上述したように培養液Ｃの液面の形状を計測するのではなく、培養液Ｃの重量を計測し、その培養液Ｃの重量の情報に基づいて、調整光学系２０の調整条件を取得するようにしてもよい。具体的には、たとえば図９に示すようにステージ６１の下面に重量を計測する重量計測部８０を設け、調整光学系制御部５１が、重量計測部８０によって計測された重量の情報に基づいて、培養液Ｃの量を算出し、その算出した培養液Ｃの量に基づいて光学素子２１の調整条件を取得するようにしてもよい。重量計測部８０としては、ロードセル式、電磁式または音叉式の重量センサを用いることができる。なお、この場合も、培養液Ｃの量と調整条件とを対応付けたテーブルを予め記憶しておくようにしてもよいし、培養液Ｃの量を入力として調整条件を出力する関数などを予め設定しておくようにしてもよい。
【符号の説明】
【００９４】
１０   照明光学系
１１   白色光源
１２   スリット板
１２ａ スリット
１２ｂ 遮光板
１３   第１の対物レンズ
２０   調整光学系
２１   光学素子
２２   調整光学系駆動部
３０   結像光学系
３１   第２の対物レンズ
３２   位相板
３２ａ 位相リング
３２ｂ 透明板
３３   結像レンズ
３４   結像光学系駆動部
４０   撮像部
５０   顕微鏡制御装置
５１   調整光学系制御部
５２   結像光学系制御部
５３   ステージ制御部
５４   入力装置
５５   表示装置
６０   培養容器
６２   ステージ駆動部
７０   液面形状計測部
８０   重量計測部
【図１】
0006380983.tif 000002
【図２】
0006380983.tif 000003
【図３】
0006380983.tif 000004
【図４】
0006380983.tif 000005
【図５】
0006380983.tif 000006
【図６】
0006380983.tif 000007
【図７】
0006380983.tif 000008
【図８】
0006380983.tif 000009
【図９】
0006380983.tif 000010
【図１０】
0006380983.tif 000011
【図１１】
0006380983.tif 000012